(57)【要約】【課題】汚水の飛散を低減し、また、汚水飛散防止カバーが邪魔になることなく床面の隅々まで清掃でき、さらに、磨耗が少なく耐久性が良いという清掃用ポリッシャーの汚水飛散防止カバーを提供する。【解決手段】上部に切れ込み部５を有する略長方形の帯１０の内側面に、可撓性を有し、且つ、ゴムよりも硬質の合成樹脂製で、厚さＴ２が帯１０の厚さＴ１と略等しく、長さＬ２が帯１０の長さＬ１と略等しく、幅Ｗ２が帯１０の幅Ｗ１の３分の１程度の３０ｍｍ程度に形成された帯状をなし、さらに、帯１０の切れ込み部５側には、帯１０と略同一形状をなす形状保持部５ａが同一材質で一体形成された帯保護部材１２を縫合して固着し、汚水飛散防止カバー１の内側面上縁と内側面右端部と外側面左端部には、それぞれベルベットファスナー６、６ａ、６ｂを縫合して取り付ける。【選択図】        図１
2005110914.tif 000002
【特許請求の範囲】
【請求項１】
清掃用ポリッシャー本体下部のフレームの外周に巻装し、該フレームの外周の長さよりやや長く、前記清掃用ポリッシャーのアームの付け根を含む付属物の当接する部分に該付属物に適合する切れ込み部を有する帯を設け、該帯の両端に、該帯の両端同士を着脱するベルベットファスナーを設けてなる清掃用ポリッシャーの汚水飛散防止カバーにおいて、
前記帯を軟質の弾性体で形成し、
可撓性を有し前記弾性体よりも硬質の合成樹脂で形成され、前記帯と長さが略等しい帯状の帯保護部材を、前記帯の下部に取り付け、
前記清掃用ポリッシャー本体下部のフレームの外周に巻装されたベルベットファスナーに係止可能なベルベットファスナーを、前記帯の内側面の上縁部に沿って帯状に取り付けたことを特徴とする清掃用ポリッシャーの汚水飛散防止カバー。
【請求項２】
請求項１に記載の清掃用ポリッシャーの汚水飛散防止カバーにおいて、前記帯の切れ込み部近傍に、可撓性を有し前記弾性体よりも硬質の合成樹脂で形成された形状保持部材を取り付けたことを特徴とする清掃用ポリッシャーの汚水飛散防止カバー。
【請求項３】
請求項２に記載の清掃用ポリッシャーの汚水飛散防止カバーにおいて、前記帯保護部材と前記形状保持部材が一体形成されたことを特徴とする清掃用ポリッシャーの汚水飛散防止カバー。
【発明の詳細な説明】
【技術分野】
【０００１】
本発明は、清掃用ポリッシャーの汚水飛散防止カバーに関するものである。
【背景技術】
【０００２】
清掃用ポリッシャーを用いて床などを清掃する際に、清掃用ポリッシャー下部のフレームにパッドやブラシを装着して清掃するが、回転するパッドやブラシにより汚水が周囲に飛散するのを低減させるために、従来技術として、図５に示すように、清掃用ポリッシャー２００の本体下部の円盤状のフレーム９００と、このフレーム９００下部の床面までの外周に巻装し、フレーム９００外周の長さよりやや長く、上記清掃用ポリッシャー２００のアーム３００の付け根３００ａ、車輪４００、車輪の付け根４００ａなどの付属物の当接する部分に、この付属物に適合する切れ込み部５００を有する可撓性透明樹脂製の帯１１０を設け、帯１１０の両端に、帯１１０の両端同士を着脱するベルベットファスナー６００を設け、帯１１０の上縁付近の複数箇所に、帯１１０を上記フレーム９００に掛止する突起８００を適宜間隔で設けたことを特徴とする清掃用ポリッシャー２００の飛散防止カバー１００がある（特許文献１参照。）。
【０００３】
しかしながら、上記従来技術は、汚水飛散防止カバー１００を清掃用ポリッシャー２００本体に取り付けるために、カバー１００の上部に小孔７００を穿設し、この小孔７００をフレーム９００（清掃用ポリッシャー２００本体下部の外に張り出した円盤状の部分）に接着テープ等で固定された突起８００に掛止する方法であるために、カバー１００とフレーム９００との密着性が悪く間隙が発生し、この間隙から汚水が漏出して、周囲に飛散する可能性がある。また、小孔７００とカバー１００上縁とには一定の間隔が必要であり、図５に示すように、小孔７００を掛止する突起８００をフレーム９００上部に取り付けた場合、カバー１００上部がフレーム９００上部から突出することになる。このように取り付けた場合には、例えば、凹んだ壁面Ｗに連設された床面Ｆを清掃する際に、このカバー１００の突出した部分１００ａが邪魔になって清掃できず、その凹み部分の床面Ｆの清掃は手作業になってしまうことがある。また、小孔７００を掛止する突起８００をフレーム９００下部に取り付けた場合には、カバー１００がフレーム９００から突出しないように取り付けることは可能であるが、カバー１００上縁がフレーム９００下縁近傍に位置するために、カバー１００内側の汚水が、小孔７００や、カバー１００上縁とフレーム９００との間隙から漏れ出して周囲に飛散することが想定される。
【０００４】
また、カバー１００のベースとなる帯１１０の材質が一種類であり、例えば軟質のカバーを使用した場合には、カバー１００とフレーム９００との密着性は良いが、パッド、パッド台、ブラシ１８０、床面Ｆなどとの接触による磨耗が大きくなると共に、ブラシ１８０をカバーする下方の部分が壁などに接触して変形しやすく、この変形した部分は床面Ｆとの間隙が大きくなり、この間隙から汚水が飛散するという問題がある。また、切れ込み部５００は、フレーム９００の下端以下に位置するので、フレーム９００に密着せずパッドやパッド台に接触し磨耗が大きくなると共に、切れ込み部５００とフレーム９００との間隙が大きくなり、汚水が漏出する。逆に、磨耗の対策として硬質のカバー１００を使用した場合は、カバー１００とフレーム９００との間に間隙が発生して、カバー１００内側の汚水が、この間隙からカバー１００外側に漏れ出してくるという問題が想定される。
【特許文献１】実登第３００４９４９号公報
【発明の開示】
【発明が解決しようとする課題】
【０００５】
本発明は、以上のような従来技術の問題点に鑑みてなされたものであり、汚水の飛散を低減し、また、また、カバーが邪魔になることなく床面の隅々まで清掃でき、さらに、磨耗が少なく耐久性の良い清掃用ポリッシャーの汚水飛散防止カバーを提供することを目的とするものである。
【課題を解決するための手段】
【０００６】
このため本発明は、清掃用ポリッシャー本体下部のフレームの外周に巻装し、該フレームの外周の長さよりやや長く、前記清掃用ポリッシャーのアームの付け根を含む付属物の当接する部分に該付属物に適合する切れ込み部を有する帯を設け、該帯の両端に、該帯の両端同士を着脱するベルベットファスナーを設けてなる清掃用ポリッシャーの汚水飛散防止カバーにおいて、前記帯を軟質の弾性体で形成し、可撓性を有し前記弾性体よりも硬質の合成樹脂で形成され、前記帯と長さが略等しい帯状の帯保護部材を、前記帯の下部に取り付け、前記清掃用ポリッシャー本体下部のフレームの外周に巻装されたベルベットファスナーに係止可能なベルベットファスナーを、前記帯の内側面の上縁部に沿って帯状に取り付けたことを第１の特徴とする。
【０００７】
また、請求項１に記載の清掃用ポリッシャーの汚水飛散防止カバーにおいて、前記帯の切れ込み部近傍に、可撓性を有し前記弾性体よりも硬質の合成樹脂で形成された形状保持部材を取り付けたことを第２の特徴とする。
【０００８】
さらに、請求項２に記載の清掃用ポリッシャーの汚水飛散防止カバーにおいて、前記帯保護部材と前記形状保持部材が一体形成されたことを第３の特徴とする。
【発明の効果】
【０００９】
本発明に係る清掃用ポリッシャーの汚水飛散防止カバーによれば、汚水の飛散が低減され、また、汚水飛散防止カバーが邪魔になることなく床面の隅々まで清掃でき、さらに、磨耗が少なく耐久性が良いという優れた効果がある。
【発明を実施するための最良の形態】
【００１０】
以下、本発明を実施するための最良の形態を図面に示す実施例に基づいて説明する。図１は、本発明に係る清掃用ポリッシャーの汚水飛散防止カバーの一実施例を示す説明図である。図１（ａ）は、本発明に係る清掃用ポリッシャーの汚水飛散防止カバーの一実施例を示す背面図であり、図１（ｂ）は、その分解斜視図であり、図１（ｃ）は、本発明に係る清掃用ポリッシャーの汚水飛散防止カバーの両端のベルベットファスナーを係止させた状態を示す斜視図である。図２は、本発明に係る清掃用ポリッシャーの汚水飛散防止カバーの一実施例を装着した清掃用ポリッシャーの使用例を示す説明図である。図３、図４は、本発明に係る清掃用ポリッシャーの汚水飛散防止カバーの他の実施例を示す説明図である。図３（ａ）、図４（ａ）は、本発明に係る清掃用ポリッシャーの汚水飛散防止カバーの他の実施例を示す背面図であり、図３（ｂ）、図４（ｂ）は、その分解斜視図であり、図３（ｃ）、図４（ｃ）は、本発明に係る清掃用ポリッシャーの汚水飛散防止カバーの他の実施例の両端のベルベットファスナーを係止させた状態を示す斜視図である。図５は、従来技術の清掃用ポリッシャーの汚水飛散防止カバーの一実施例を装着した清掃用ポリッシャーの使用例を示す説明図である。
【実施例１】
【００１１】
図１、図２に示すように、本発明に係る清掃用ポリッシャー２の汚水飛散防止カバー１は、上部に切れ込み部５を有する略長方形の帯１０と、帯１０の内側面に縫合して固着された板状の帯保護部材１２と、汚水飛散防止カバー１の内側面上縁と内側面右端部と外側面左端部に縫合して固着されたベルベットファスナー６、６ａ、６ｂとからなっている。尚、縫い目は図示していない。
【００１２】
本発明に係る清掃用ポリッシャーの汚水飛散防止カバー１のベースとなる帯１０は、軟質の弾性体であるゴムで形成された略長方形の板状の帯で、厚さＴ１が２ｍｍ程度に形成され、幅Ｗ１が清掃用ポリッシャー２下部の円盤状のフレーム９側面から床面に届く９０ｍｍ程度に形成され、長さＬ１がフレーム９の外周より５０ｍｍ程度長く形成されている。さらに、帯１０の左端側の上部であって、汚水飛散防止カバー１を清掃用ポリッシャー２に取り付けた際に、アーム３の付け根３ａ、車輪４、車輪の付け根４ａなどの付属物が当接する部分には、上縁から下方に向けて、前記付属物が適合する舟形の切れ込み部５が形成されている。このため、切れ込み部５の帯１０の幅Ｗ１ａは、前記幅Ｗ１より狭い５５ｍｍ程度に形成されている。ゴムは軟質の弾性体であるため、ゴム製の帯１０は、ベルベットファスナー６、６ｃを利用することにより、金属で形成された硬質のフレーム９の外周側面に密着して取り付けることができる。このため、汚水飛散防止カバー１を清掃用ポリッシャー２のフレーム９に巻装して清掃する際に、汚水飛散防止カバー１の内側の汚水が、清掃用ポリッシャー２の周囲へ飛散することを確実に低減できる。
【００１３】
尚、切れ込み部５は、帯１０の中央部に形成しても良いが、この場合は、帯１０をフレーム９に巻装した際に、帯１０の両端がフレーム９の最前面に位置するため、清掃作業中に突起物などに引っ掛かり、係止されているベルベットファスナーが外れる可能性がある。このため、切れ込み部５は、好ましくは、本実施例のような帯１０の左端側、あるいは、帯１０の右端側に形成することが望ましい。
【００１４】
ゴム製の帯１０は、上記したように軟質であるので、清掃作業中に回転するパッド、パッド台、ブラシ８などに接触することにより短期間で磨耗してしまう。そこで、帯１０の内側面にゴムよりも硬質で磨耗の少ない保護部材を取り付ける必要がある。この帯保護部材１２は、可撓性を有し、且つ、ゴムよりも硬質の合成樹脂製で、厚さＴ２が帯１０の厚さＴ１と略等しく、長さＬ２が帯１０の長さＬ１と略等しく、幅Ｗ２が帯１０の幅Ｗ１の３分の１程度の３０ｍｍ程度に形成された帯状をなし、帯１０の下縁に沿って帯１０の内側面下部に縫合固着されている。さらに、この帯保護部材１２の、帯１０の切れ込み部５側には、帯１０と略同一形状をなす形状保持部５ａが、帯保護部材１２と同一材質で一体形成されている。尚、床面に応じてブラシ８と交換されてフレーム９に装着されるパッドとパッド台は図示しない。
【００１５】
帯保護部材１２をゴムよりも硬質の合成樹脂製で形成して帯１０の内側面下部に取り付けることにより、汚水飛散防止カバー１が、清掃作業中にフレーム９に装着されて回転するパッド、パッド台、ブラシ８などと接触しても、磨耗を低減し耐久性を向上させることができると共に、接触によるカバー１の変形も低減できるため、汚水の飛散も低減することができる。
【００１６】
ここで、帯１０の切れ込み部５は、帯１０の上縁から下方に切り込んであるので、その分、フレーム９の下縁部に近接してベルベットファスナーを取り付けるスペースが無くなってしまう。従って、飛散防止カバー１がフレーム９に巻装された際に、帯１０の切れ込み部５がフレーム９に係止される部分は、非常にわずかな部分となってしまう。このため、このベルベットファスナーの無い切れ込み部５が、ゴム製の帯１０だけで形成された場合は、ゴムだけで係止されている切れ込み部５が清掃作業中の振動などにより外れ、ゴムの軟質性によりフレーム９の外周（円弧）に沿った形状を保持することができず、フレーム９下方に装着されたパッドやパッド台に接触してしまうと共に、フレーム９との間隙が大きくなり、この間隙から汚水が漏出する。
【００１７】
このため、帯１０の切れ込み部５に、可撓性を有しゴムよりも硬質の合成樹脂で形成された形状保持部５ａを装着することにより、形状保持部５ａと共に切れ込み部５がフレーム９の外周に沿った円弧形状を保持し、パッドやパッド台に接触することがなく、また、フレーム９の外周の形状に沿った形状を保持できるので、フレーム９と切れ込み部５との間隙を小さくすることができる。尚、この形状保持部５ａと一体形成された帯保護部材１２は、可撓性を有するが硬質であるために、例えば、帯１０あるいは帯保護部材１２を、全てこの材質で形成した場合は、前記した従来技術のように飛散防止カバー１全体の密着性が悪くなる。本発明のように、密着性の良い軟質の弾性体であるゴム製の帯１０の一部分に可撓性を有する硬質の材質を装着することで、切れ込み部５の優れた形状保持効果が得られるのである。
【００１８】
さらに、帯保護部材１２が固着された帯１０の内側面の上縁に沿ってループ面を有する帯状の第１のベルベットファスナー６が縫合して固着されており、帯１０の内側面の右端には、ループ面を有する略長方形の第２のベルベットファスナー６ａが縫合して固着されており、帯１０の外側面の左端には、この第２のベルベットファスナーと係止可能なフック面を有する第３のベルベットファスナー６ｂが縫合して固着されている。また、清掃用ポリッシャー２のフレーム９側面には、汚水飛散防止カバー１を巻装した際に、第１のベルベットファスナー６が係止可能なフック面を有する第４のベルベットファスナー６ｃが装着されている。
【００１９】
次に、本発明に係る清掃用ポリッシャーの汚水飛散防止カバーの取り付け方法と、この汚水飛散防止カバーが取り付けられた清掃用ポリッシャーの操作方法について簡単に説明する。汚水飛散防止カバー１は、まず、上縁に固着された第１のベルベットファスナー６を清掃用ポリッシャー２のフレーム９に固着された第４のベルベットファスナー６ｃに係止させながら密着巻装される。その後に、帯１０の両端同士、すなわち、汚水飛散防止カバー１の内側面に固着された第２のベルベットファスナー６ａをカバー１の外側面に固着された第３のベルベットファスナー６ｂに係止させる。このようにして、清掃用ポリッシャー２への装着が完了する。第１のベルベットファスナー６は、帯１０の上縁から上方に突出することなく取り付けることができるので、例えば凹んだ壁面Ｗに連設された床面Ｆを清掃用ポリッシャー２で清掃する際に、このカバー１が邪魔になることなく、床面の隅々まで清掃できる。
【実施例２】
【００２０】
本発明に係る清掃用ポリッシャーの汚水飛散防止カバーの他の実施例について説明する。図１で示した形状保持部５ａは、図３に示すように、帯保護部材１２と一体形成されず、形状保持部材１１として別々に形成された後、帯１０に取り付けられても良い。この帯形状部材１１は、可撓性を有し、且つ、ゴムよりも硬質の合成樹脂製で、厚さＴ３が帯保護部材１２の厚さＴ２と略等しく、長さＬ３が帯１０の切れ込み部５より長く、この切れ込み部５に適合する形状に形成され、切れ込み部５の下方近傍に帯１０に縫合して固着される。また、形状保持部材１１は、帯保護部材１２以外の材質で形成されても代用可能であるが、上記したように、可撓性を有し、ゴムよりは硬質であることが必要である。尚、実施例２の効果は、実施例１と同じである。
【実施例３】
【００２１】
本発明に係る清掃用ポリッシャーの汚水飛散防止カバーの他の実施例について説明する。図１で示した形状保持部材５ａは、汚水飛散防止カバー１をフレーム９に密着巻装した際に、帯１０の切れ込み部５の形状を保持させて、フレーム９と切れ込み部５との間に生じる間隙を小さくする効果を有するものであるが、この形状保持部材５ａの形状保持力が弱くて形状が安定しない場合は、図４に示すように、補強用の形状保持補強部材５ｂを帯１０と形状保持部５ａとの間に挟装しても良い。この形状保持補強部材５ｂは、厚さＴ４が帯保護部材１２の厚さＴ２と略等しく、長さＬ４が切れ込み部５より長く、帯１０の切れ込み部５に適合する形状に形成され、切れ込み部５の下方近傍に帯１０と帯保護部材１２に挟装されている。また、帯保護部材１２と同様に、可撓性を有しゴム製の帯１０よりは硬質の合成樹脂で形成されていればよく、帯保護部材１２と同じ材質でなくても代用可能である。実施例３の効果は、実施例１と同じである。
【００２２】
尚、上記実施例１、実施例２、実施例３において、帯１０、形状保持部５ａ、形状保持補強部材５ｂ、形状保持部材１１、帯保護部材１２の厚さ、幅、長さは、実施例に限定されるものではなく、清掃用ポリッシャー２のフレーム９の大きさや形状によって変更される。帯１０は、ゴム以外の材質でも代用可能であり、軟質の弾性体であればよい。また、帯保護部材１２やベルベットファスナー６、６ａ、６ｂなどの帯１０への取り付け方法は、縫合に限定されず、接着などの他の方法でもよい。また、形状保持部材１１及び帯保護部材１２の材質として使用される合成樹脂は、可撓性を有するように板状あるいは帯状に形成されている。さらに、ベルベットファスナー６、６ａ、６ｂ、６ｃのフック面とループ面も本実施例に限定されるものではなく、例えば、第１のベルベットファスナー６と第２のベルベットファスナー６ａにフック面を用い、第３のベルベットファスナー６ｂと第４のベルベットファスナー６ｃにループ面を用いても効果は同じである。
【図面の簡単な説明】
【００２３】
【図１】本発明に係る清掃用ポリッシャーの汚水飛散防止カバーの一実施例を示す説明図である。
【図２】本発明に係る清掃用ポリッシャーの汚水飛散防止カバーの一実施例を装着した清掃用ポリッシャーの使用例を示す説明図である
【図３】本発明に係る清掃用ポリッシャーの汚水飛散防止カバーの他の実施例を示す説明図である。
【図４】本発明に係る清掃用ポリッシャーの汚水飛散防止カバーの他の実施例を示す説明図である。
【図５】従来技術の清掃用ポリッシャーの汚水飛散防止カバーの一実施例を装着した清掃用ポリッシャーの使用例を示す説明図である。
【符号の説明】
【００２４】
１、１００        汚水飛散防止カバー
２、２００        清掃用ポリッシャー
３、３００        アーム
３ａ、３００ａ    アームの付け根
４、４００        車輪
５、５００        切れ込み部
５ａ              形状保持部
５ｂ              形状保持補強部材
６                第１のベルベットファスナー
６ａ              第２のベルベットファスナー
６ｂ              第３のベルベットファスナー
６ｃ              第４のベルベットファスナー
８                ブラシ
９、９００        フレーム
１０、１１０        帯
１１                形状保持部材
１２                帯保護部材
１００ａ              カバーの突出した部分
６００                ベルベットファスナー
７００                小孔
８００                突起
Ｌ１                帯の長さ
Ｌ２                帯保護部材の長さ
Ｌ３                形状保持部材の長さ
Ｌ４                形状保持補強部材の長さ
Ｔ１                帯の厚さ
Ｔ２                帯保護部材の厚さ
Ｔ３                形状保持部材の厚さ
Ｔ４                形状保持補強部材の厚さ
Ｗ１                帯の幅
Ｗ１ａ              切れ込み部の帯の幅
Ｗ２                帯保護部材の幅
【図１】
2005110914.tif 000003
【図２】
2005110914.tif 000004
【図３】
2005110914.tif 000005
【図４】
2005110914.tif 000006
【図５】
2005110914.tif 000007